(57)【特許請求の範囲】
【請求項１】
受け側管体（１）の受け口（４）に、挿し側管体（２）の挿し口（１１）を挿し込んで両管体（１、２）同士を連結し、前記受け口（４）と挿し口（１１）との間の隙間に、両管体（１、２）の水密を確保する封止部材（６）を設け、この封止部材（６）に、貫通ねじ孔（８）を形成した押圧部材（７）を当接させ、前記ねじ孔（８）の受け側管体（１）側から、前記押圧部材（７）に、前記受け口（４）と押圧部材（７）の間に介在するボルト（９）をねじ込んで前記押圧部材（７）を前記封止部材（６）側にスライドさせ、この押圧部材（７）で前記封止部材（６）を前記隙間に押し込んだ後に、
前記受け口（４）と前記押圧部材（７）で構成される空間に樹脂含有材（１５）を充填して、前記ボルト（９）の頭部（９ａ）と、この頭部（９ａ）に前記ボルト（９）の軸方向に一体に設けられた延長部材（１０）とが前記樹脂含有材（１５）に埋まった状態とし、この樹脂含有材（１５）が硬化したら、前記両管体（１、２）と隣り合う管体をさらに連結し、前記挿し口（１１）と前記押圧部材（７）で構成される空間にも、前記樹脂含有材（１５）を充填して、前記ボルト（９）のねじ先側を前記樹脂含有材（１５）で埋め込んだ管体連結部の防食方法。
【発明の詳細な説明】
【技術分野】
【０００１】
この発明は、水道管等の管体連結部に用いるボルト等の金属部材を腐食から防止する、管体連結部の防食方法に関する。
【背景技術】
【０００２】
水道管等の管体の連結は、受け側管体１の受け口４に、挿し側管体２の挿し口１１を挿し込むことによってなされる。この管体１、２同士の連結部の構成として、例えば、図２（ａ）に示すものがある。この構成では、受け口４と挿し口１１の間の隙間に、ゴム等の弾性部材からなる封止部材６を設けている。
【０００３】
この封止部材６には、受け口４奥側から押輪（押圧部材）７が当接している。この押輪７には、両管体１、２の軸方向に延びる貫通ねじ孔８が形成されていて、このねじ孔８には、受け側管体１側からボルト９がねじ込まれる。
【０００４】
このようにねじ孔８を貫通状態とすると、ねじ孔が有底の場合と比較して、ボルト９の調整代（ねじ込み量）を多くとることができるため、封止部材６の押し込み量を適切に調節することができる。
【０００５】
ボルト９の頭部には、延長部材１０が一体に設けられていて、この延長部材１０は、ボルト９の頭部９ａと受け口４との間に突っ張った状態となっている。そして、このボルト９のねじ込みによって、押輪７が封止部材６側にスライドし、この封止部材６が前記隙間に押し込まれる。この押し込みによって両管体１、２の間の隙間が閉塞されて、水密性が確保される。
【０００６】
このボルト９や延長部材１０の素材として、コストや強度等の観点から鋼を主とする金属製のものが採用されることが多い。このボルト９等は、管体への通水時に、水に浸漬された状態となるため腐食しやすい。この腐食を防止するため、図２（ｂ）及び（ｃ）に示すように、管体同士の連結後に、受け口４と押輪７で形成される空間内にモルタル１６を充填して、ボルト９の頭部９ａと延長部材１０をこのモルタル１６に埋められた状態とする構成が採用されることがある。このように、ボルト９等と水との接触を防止することで、腐食を極力抑制しようとしている。
【発明の概要】
【発明が解決しようとする課題】
【０００７】
ところが、モルタルは、硬化初期における管壁面への密着性が低い。このため、特に管内の上面側に充填した場合に、硬化前にこのモルタルが落下する不具合が生じやすく、その作業性が低下する問題がある。
【０００８】
そこで、本願発明は、管体同士の隙間を容易に充填して、連結部分を防食することを課題とする。
【課題を解決するための手段】
【０００９】
前記課題を解決するため、この発明は、受け側管体の受け口に、挿し側管体の挿し口を挿し込んで両管体同士を連結し、前記受け口と挿し口との間の隙間に、両管体の水密を確保する封止部材を設け、この封止部材に、貫通ねじ孔を形成した押圧部材を当接させ、前記ねじ孔の受け側管体側から、前記押圧部材に、前記受け口と押圧部材の間に介在するボルトをねじ込んで前記押圧部材を前記封止部材側にスライドさせ、この押圧部材で前記封止部材を前記隙間に押し込んだ後に、前記受け口と前記押圧部材で構成される空間、又は、前記挿し口と前記押圧部材で構成される空間のうち少なくとも一方に樹脂含有材を充填して、前記ボルトの頭部側、又は、前記ボルトのねじ先側の少なくとも一方を前記樹脂含有材で埋め込んで管体連結部の防食を行うように防食方法を構成した。
【００１０】
前記樹脂含有材に含有される樹脂材の種類は特に限定されないが、エポキシ樹脂を用いるのが特に好ましい。このエポキシ樹脂は、主剤と硬化剤を混合して用いるのが一般的であって、上記のように空間（隙間）を充填する目的においては、粘土状の主剤及び硬化剤が用いられる。このエポキシ樹脂は、両剤の混合後も粘土状の性状を維持しており、この樹脂含有材を前記空間に容易に充填することができる。しかも、その粘度が高いため、この充填作業中や硬化中に、充填した樹脂含有材が落下する恐れは低い。
【００１１】
この樹脂含有材は、主剤と硬化剤の混合比や温度、樹脂材の混合割合等にもよるが、通常は数時間で完全に硬化する。この硬化に要する時間は、モルタルと比較して大幅に短く、作業効率の向上を図ることができる。
【００１２】
樹脂含有材中の樹脂材の混合割合は、作業時の粘度や硬化時間等を考慮した上で、適宜決定することができる。また、この樹脂含有材に、顔料や改質剤等の添加物を添加して用いることもできる。さらに、所定の粘度や硬化時間等の点で問題なければ、エポキシ樹脂以外の樹脂を採用することもできる。
【発明の効果】
【００１３】
この発明は、管体同士の連結部の隙間を充填する充填材としてモルタルの代わりに樹脂含有材を用いた。この樹脂含有材はモルタルと比較して粘度が高く、しかも硬化時間が大幅に短いため、作業効率の向上を図ることができる。
【図面の簡単な説明】
【００１４】
【図１】この発明に係る管体連結部の防食方法の工程を示す要部断面図を示し、（ａ）は充填材の充填前、（ｂ）は充填材を受け口と押圧部材との間の空間に充填した状態、（ｃ）は充填材を挿し口と押圧部材との間の空間に充填した状態
【図２】従来技術に係る管体連結部の防食方法の工程を示す要部断面図を示し、（ａ）は充填材の充填前、（ｂ）は充填材を受け口と押圧部材との間の空間に詰め込んだ状態、（ｃ）は詰め込んだ充填材の仕上げ処理を行った状態
【発明を実施するための形態】
【００１５】
この発明に係る管体連結部の防食方法の工程を図１（ａ）〜（ｃ）に示す。受け側管体１及び挿し側管体２は、ともに管内面にモルタルライニング層３が形成されたダクタイル鋳鉄管である。受け側管体１の受け口４の内周面には拡径部５が形成されている。この拡径部５の受け口４先端側にはゴム製の封止部材６が設けられている。この封止部材６には、受け口４奥側から押輪７が当接している。この押輪７には受け側管体１の軸方向に延びる貫通ねじ孔８が形成されている。このねじ孔８には、受け口４奥側からボルト９がねじ込まれている。このボルト９は鋼製であって、その頭部９ａには、延長部材１０がボルト９の軸方向に一体に設けられている。
【００１６】
このボルト９をねじ孔８に挿し込んで締め付けると、延長部材１０が受け口４の内壁に当接した状態を保ちつつ、押輪７が封止部材６側に押される。すると、この封止部材６が受け口４と挿し側管体２の挿し口１１との間の隙間に押し込まれ、両管体１、２の間の隙間が閉塞されて水密性が確保される。
【００１７】
受け口４内周面の先端側には、周溝１２ａが形成され、この周溝１２ａには、一部に切れ目の形成された円環状（Ｃ字形）のロックリング１３が設けられている。この周溝１２ａに対応する受け口４外周面にはロックねじ１４が設けられ、このロックねじ１４のねじ先がロックリング１３に当接し得るようになっている。また、挿し側管体２の挿し口１１の外周面にも、この挿し口１１を受け口４に挿し込んだときに、受け口４側の周溝１２ａの位置に対応する位置に、周溝１２ｂが形成されている。
【００１８】
ロックねじ１４を緩めた状態では、ロックリング１３は受け口４の周溝１２ａに収納された状態となっているが、受け口４と挿し口１１に形成した両周溝１２ａ、１２ｂの軸方向位置を合わせ、ロックねじ１４をねじ込むと、このロックリング１３が挿し口１１に形成した周溝１２ｂに嵌まり込んで、両管体１、２が抜き挿し不可能となる（図１（ａ）を参照）。
【００１９】
ボルト９を締め付けた状態で、受け口４と押輪７で構成される空間に、充填材１５としてエポキシ樹脂を所定割合で含有する樹脂含有材をコテ（ヘラ）を用いて充填する。このとき、ボルト９の頭部９ａと延長部材１０が充填材１５に埋まった状態となる（図１（ｂ）を参照）。この充填材１５は、顔料や改質剤等の添加材を予め添加した粘土状の主剤と硬化剤をそれぞれ１：１の割合で混合したものであって、粘度や硬化時間の最適化だけでなく、外観上の向上等も図られている。
【００２０】
この樹脂含有材中のエポキシ樹脂の割合は、１００％としても良いし、充填材１５の粘度や硬化時間等の特性が損なわれない限りにおいて、その割合を適宜下げても良い。また、前記添加材の添加は必須ではなく、添加しなくても所定の特性が得られるのであれば適宜省略することもできる。
【００２１】
この充填材１５が硬化したら、既連結管体１、２と隣り合う管体（図示せず）をさらに連結する。このとき既連結管体１、２のロックねじ１４を緩めて、ロック状態を解除またはロックリング１３を緩めた状態としておくのが好ましい。そうすると、両管体１、２の連結を少し屈曲させることができ、新たに挿し込む管体との間の挿し込み角度等を自在に調節し得る。
【００２２】
また、ボルト９の頭部９ａと延長部材１０が、充填材１５で固定されているため、連結作業中にこのボルト９が緩みにくい。このため、封止部材６による水密状態が確保され、この作業中に管体同士の連結部から、土砂を含んだ管外の水が管内に入るのを防止することができる。
【００２３】
全ての管体の連結が完了したら、挿し口１１と押輪７で構成される空間にも、充填材１５としてエポキシ樹脂を含有する樹脂含有材を充填する（図１（ｃ）を参照）。この樹脂含有材は、押輪７に形成したねじ孔８の先端からその中に入りこみ、ねじ孔８の中にも充填される。このため、管体内の水がねじ孔８を通ってボルト９のねじ先に到達しないため、このボルト９のねじ先側の腐食も防止できる。また、管体の連結部内面が全体的にフラットになるため、水理特性が向上し、スムーズに通水できるというメリットもある。
【００２４】
上記の工程では、受け口４と押圧部材７で構成される空間、及び、挿し口１１と押圧部材７で構成される空間に順次充填材１５を充填したが、両空間のうち一方にのみ、充填材１５を充填する構成とすることもできる。この場合も、少なくとも充填材１５を充填した部分については防食を図ることができ、それで十分な場合もあり得るからである。
【００２５】
また、上記の工程では、充填材１５としてエポキシ樹脂を含有する樹脂含有材を用いたが、これに限定されず、その他の樹脂材を含有する充填材１５を用いることもできる。
【符号の説明】
【００２６】
１  受け側管体
２  挿し側管体
３  モルタルライニング層
４  受け口
５  拡径部
６  封止部材
７  押輪（押圧部材）
８  ねじ孔
９  ボルト
１０  延長部材
１１  挿し口
１２ａ、１２ｂ  周溝
１３  ロックリング
１４  ロックねじ
１５  充填材（樹脂含有材）
【図１】
0005630736.tif 000002
【図２】
0005630736.tif 000003